(57)【要約】  この発明は、フィット性のよいシューズを提供することを課題とする。この発明は、着地の衝撃を吸収するソール１と、足の甲を包むアッパー２とを有するシューズであって、アッパー２は、着用時に足が挿入される第１開口部３を有し、アッパー２の一部または全てが、負のポアソン比を有する素材を用いて形成されている。
2015019451.tif 000002
【特許請求の範囲】
【請求項１】
着地の衝撃を吸収するソールと、足の甲を包むアッパーとを有するシューズであって、
前記アッパーは、着用時に足が挿入される第１開口部を有し、前記アッパーの一部または全てが、負のポアソン比を有する素材を用いて形成されていることを特徴とするシューズ。
【請求項２】
前記アッパーは、舌片で閉じられた足の甲の上方の第２開口部をさらに有し、第１開口部と第２開口部とは前後に互いに連なっており、前記第２開口部近傍に設けられた締め付け領域を除いたアッパーの一部または全てが、負のポアソン比を有する素材を用いて形成されていることを特徴とする請求項１に記載のシューズ。
【請求項３】
前記負のポアソン比を有する素材は、負のポアソン比構造が形成された単一の層からなることを特徴とする請求項１または請求項２に記載のシューズ。
【請求項４】
前記負のポアソン比を有する素材は、複数の層を積層してなり、前記複数の層のうち少なくとも一層が負のポアソン比構造に形成されていることを特徴とする請求項１または請求項２に記載のシューズ。
【請求項５】
前記負のポアソン比構造は、四辺のうち対向する１対の２辺の中央部が互いに近接した矩形枠が列状に複数段並び各段の矩形枠は互いに反ピッチずれて配列されて網目状に形成されていることを特徴とする請求項３または請求項４に記載のシューズ。
【請求項６】
前記アッパーの甲部は、負のポアソン比構造の列方向がシューズの前後方向に配列するようにした負のポアソン比素材を用いたことを特徴とする請求項５に記載のシューズ。
【請求項７】
前記アッパーの母趾球部は、負のポアソン比構造の列方向がシューズの上下方向に配列するようにした負のポアソン比素材を用いたことを特徴とする請求項５に記載のシューズ。
【請求項８】
前記アッパーの小趾球部は、負のポアソン比構造の列方向がシューズの上下方向に配列するようにした負のポアソン比素材を用いたことを特徴とする請求項５に記載のシューズ。
【請求項９】
前記アッパーの踵部は、負のポアソン比構造の列方向がシューズの上下または前後方向に配列するようにした負のポアソン比素材を用いたことを特徴とする請求項５に記載のシューズ。
【請求項１０】
前記アッパーの舌片は、負のポアソン比構造の列方向がシューズの前後方向に配列するようにした負のポアソン比素材を用いたことを特徴とする請求項５に記載のシューズ。
【請求項１１】
前記アッパーの中足部は、負のポアソン比構造の列方向がシューズの前後方向に配列するようにした負のポアソン比素材を用いたことを特徴とする請求項５に記載のシューズ。
【発明の詳細な説明】
【技術分野】
【０００１】
この発明は、フィット性を向上させたシューズに関するものである。
【背景技術】
【０００２】
シューズ、例えば、運動靴に求められる機能として、フィット性があげられる。このフィット性を向上させる手段として、皺の発生の抑制、着圧値の低減、足とアッパーとの密着、足とアッパーの変形挙動の一致が考えられる。【０００３】
一般に、アッパーは静止時における足の形状を考慮して設計されている。これまでのシューズは、着圧値を低減しようとして、アッパー全体に低剛性な素材が採用されている。しかし、単なる低剛性材料でアッパーを構成すると、ハトメ部での紐締め付け力をアッパー全体に伝えることができず、足とアッパーとが密着しない。【０００４】
また、運動中のアッパーに発生する大きな皺の発生を抑制しようとして、小さな皺が分散して発生するように、メッシュ材の上にウレタン樹脂で補強した構造のシューズがある。しかし、この構造では、皺の抑制という問題を根本的に解決することはできない。【０００５】
また、シューズのアッパーにおける皺の発生を小さくして、シューズと足のフィット性を高めたシューズが特許文献１に提案されている。【０００６】
この特許文献１のシューズは、伸縮性生地をアッパーに用いたシューズであって、伸縮性生地は引っ張られた状態でソールと一体化されている。シューズのアッパーに縮もうとする力を保有させることにより、ランニングなどの運動時に、足が屈曲しても、アッパーにおける皺の発生が小さいというものである。【０００７】
ところで、運動時の足の形状は、シューズ内において常に変化している。すなわち、運動時においては、足の変形にアッパーが追従できずにソールが足から離れる。あるいは、逆に、アッパーが足の自然な変形を拘束してしまう場合がある。従って、ソールを足に追従させるパーツとしてアッパーを捉えた場合、アッパーは運動時における足の形状変化に追従して変形していくことが望ましい。【０００８】
すなわち、足は走行時に変形するため、シューズには足に対するフィット性が要求される。前記フィット性を高めるためには、アッパーのひずみ分布が足のひずみ分布に近くなるのが望ましい。【０００９】
フィット性を向上させた運動靴をこの出願人は、先に提案している（特許文献２参照）。【００１０】
この特許文献２に記載された運動靴は、着地の衝撃を吸収するソールと、足の甲を包むアッパーとを有する。そして、前記アッパーは、着用時に足が上方に出る第１開口と、舌片で閉じられた第２開口とを含んでいる。前記２つの開口は、前後に互いに連なっている。前記アッパーは、足の内側面の一部を覆う内側伸縮部と、足の外側面の一部を覆う外側伸縮部と、前記２つの伸縮部の前方に配置された前部と、前記２つの伸縮部の後方に配置された後部とを備えている。前記各伸縮部の足長方向についてのヤング率は、前記前部および後部のそれよりも小さい。また、前記外側伸縮部は、第５中足骨遠位骨頭に相当する部位またはその近傍の部位から前記第２開口に至る領域に設けられている。【００１１】
このように、第５中足骨遠位骨頭の上端に本質的に相当する部位またはその近傍の部位に、外側伸縮部が設けられているので、足の歪み分布が急激に大きくなり得る前記部位が伸縮性のある素材で覆われている。そのため、アッパーが前記部位の歪みに応じて変形することができ、フィット性が高くなる。
【先行技術文献】
【特許文献】
【００１２】
【特許文献１】ＷＯ２００９／１２２８２１号公報
【特許文献２】特開２００５−３２９２７０号公報
【発明の概要】
【発明が解決しようとする課題】
【００１３】
上記した特許文献１、２のものにおいても、皺の発生を十分に抑制することは困難であった。この発明は、上記した従来の問題点を解消するためになされたものにして、皺の発生を抑制する効果等を持った、フィット性のよいシューズを提供することを課題とする。
【課題を解決するための手段】
【００１４】
この発明は、着地の衝撃を吸収するソールと、足の甲を包むアッパーとを有するシューズであって、前記アッパーは、着用時に足が挿入される第１開口部を有し、アッパーの一部又は全てが、負のポアソン比を有する素材を用いて形成されていることを特徴とする。【００１５】
また、前記アッパーは、舌片で閉じられた足の甲の上方の第２開口部をさらに有し、第１開口部と第２開口部とは前後に互いに連なっており、前記第２開口部近傍に設けられた締め付け領域を除いたアッパーの一部または全てが、負のポアソン比を有する素材を用いて形成されていてもよい。【００１６】
また、前記負のポアソン比を有する素材は、負のポアソン比構造が形成された単一の層からなるものを用いることができる。【００１７】
また、前記負のポアソン比を有する素材は、複数の層を積層してなり、前記複数の層のうち少なくとも一層が負のポアソン比構造に形成されているものを用いてもよい。例えば、前記アッパーの主素材よりも高剛性の材料で負のポアソン比構造が形成された層の一方に、メッシュ材などの、前記高剛性の材料よりも低剛性の材料または伸縮性の高い材料が積層されているものを用いることができる。また、前記アッパーの主素材よりも高剛性の材料で負のポアソン比構造が形成された層の両面に、メッシュ材などの、前記高剛性の材料よりも低剛性の材料または伸縮性の高い材料が積層されているものを用いることができる。【００１８】
また、前記負のポアソン比構造は、四辺のうち対向する１対の２辺の中央部が互いに近接した矩形枠が列状に複数段並び各段の矩形枠は互いに反ピッチずれて配列されて網目状に形成されているものを用いればよい。【００１９】
また、前記アッパーの甲部は、負のポアソン比構造の列方向がシューズの前後方向に配列するようにした負のポアソン比素材を用いればよい。【００２０】
また、前記アッパーの母趾球部は、負のポアソン比構造の列方向がシューズの上下方向に配列するようにした負のポアソン比素材を用いればよい。【００２１】
また、前記アッパーの小趾球部は、負のポアソン比構造の列方向がシューズの上下方向に配列するようにした負のポアソン比素材を用いればよい。【００２２】
また、前記アッパーの踵部は、負のポアソン比構造の列方向がシューズの上下または前後方向に配列するようにした負のポアソン比素材を用いればよい。【００２３】
また、前記アッパーの舌片は、負のポアソン比構造の列方向がシューズの前後方向に配列するようにした負のポアソン比素材を用いればよい。【００２４】
また、前記アッパーの中足部は、負のポアソン比構造の列方向がシューズの前後方向に配列するようにした負のポアソン比素材を用いればよい。
【発明の効果】
【００２５】
この発明は、アッパーの一部または全てを、負のポアソン比を有する素材を用いて形成することで、フィット性を向上させることができる。具体的には、皺の発生の抑制、着圧値の低減、足とアッパーとの密着、足とアッパーの変形挙動の一致などによってより良いフィット性を得ることができる。
【図面の簡単な説明】
【００２６】
【図１】この発明の第１実施形態が適用されるシューズ（右足）の内側面側を示す図である。
【図２】この発明の第１実施形態が適用されるシューズ（右足）の外側面側を示す図である。
【図３】この発明の第１実施形態が適用されるシューズ（右足）の上面図である。
【図４】この発明の第１実施形態が適用されるシューズ（右足）のシューレースを締めた上面図である。
【図５】紐締めを行った際の変形した状態のアッパー（左足）外側面の全体のひずみの分布を示す模式図である。
【図６】紐締めを行った際の変形した状態のアッパー（左足）内側面の全体のひずみの分布を示す模式図である。
【図７】紐締めを行った際の変形した状態のアッパー（左足）外側面のＸ方向のひずみの分布を示す模式図である。
【図８】紐締めを行った際の変形した状態のアッパー（左足）内側面のＸ方向のひずみの分布を示す模式図である。
【図９】紐締めを行った際の変形した状態のアッパー（左足）外側面のＹ方向のひずみの分布を示す模式図である。
【図１０】紐締めを行った際の変形した状態のアッパー（左足）内側面のＹ方向のひずみの分布を示す模式図である。
【図１１】平面で３次元構造体を覆うときの力の状態を示す説明図である。
【図１２】負のポアソン比を有する素材の構造を示す模式的平面図である。
【図１３】負のポアソン比を有する素材の構造を示す模式的斜視図である。
【図１４】踵接地した際のアッパー（右足）踵部の変形を示す模式図である。
【図１５】アッパー（右足）の内側面側の各領域に負のポアソン比を有する素材を適用する例を示す模式図である。
【図１６】アッパー（右足）の外側面側の各領域に負のポアソン比を有する素材を適用する例を示す模式図である。
【図１７】アッパー（右足）の上面側の各領域に負のポアソン比を有する素材を適用する例を示す模式図である。
【図１８】ハイカットシューズの各領域に負のポアソン比を有する素材を適用する例を示す模式図である。
【発明を実施するための形態】
【００２７】
以下、この発明の実施の形態について図面を参照しながら詳細に説明する。なお、図中同一または相当部分には同一符号を付し、説明の重複を避けるためにその説明は繰返さない。
【００２８】
図１〜図４は、この発明の第１実施形態が適用されるシューズの一例（右足）を示している。図１は第１実施形態のシューズの内側面、図２は同外側面、図３は同上面、図４はシューレースを締めた同上面図をそれぞれ示している。
【００２９】
図１〜図４に示すように、シューズは、ソール１およびアッパー２を備える。前記アッパー２は、第１開口部３、第２開口部４を備える。
【００３０】
前記第１開口部３および第２開口部４は、図３に示すように、アッパー２の中央に形成されている。第１開口部３は、着用の際に足が上方に出る開口である。第２開口部４は、舌片５で閉じられる開口である。第１開口部３は第２開口部４の後方に位置し、第２開口部４に連なっている。第２開口部４は足の甲の前部を覆っている。
【００３１】
前記舌片５は、第２開口部４の前方で、アッパー２に縫合されている。舌片５の上面の中央には筒状のループ５３が形成されている。シューズの着用の際は、図４に示すように、シューレース６がループ５３に挿通される。
【００３２】
アッパー２は、つま先と舌片５の間に位置する甲部２１、前足部２２、第１開口部３の周囲に位置する踵部（アンクルスポンジ）２３、踵部（アンクルスポンジ）２３とソール１との間に位置する踵部（ヒールカウンター）２４、小趾球部２２ａ、母趾球部２２ｂと踵部２３との間に位置する中足部２５を備える。前足部２２は、小趾球に対応する位置の小趾球部２２ａ、母趾球に対応する位置の母趾球部２２ｂとからなる。また、中足部２５には、ラインマーカ部２７が設けられている。小趾球部２２ａ、母趾球部２２ｂは、それぞれ区別せずに前足部２２ともいう場合もある。
【００３３】
第２開口部４の両側の縁に沿うように、複数のハトメ部５１とループ部５２が設けられ、これらハトメ部５１及びループ部５２にシューレース６が通され、紐締め付けが行われる。これらハトメ部５１及びループ部５２は、紐の締め付け力を伝達するための締め付け領域５０を構成する。締め付け領域５０は、紐の締め付け力を伝達するために、所定の剛性を有する材料で形成されている。
【００３４】
シューズを足に装着する場合には、図４のシューレース６を緩め、第１開口部３および第２開口部４の後部から足をシューズに挿入する。
【００３５】
図５〜図１０は、紐締めを行った際の変形した状態のアッパー（左足）のひずみの分布を示す模式図である。一般的なシューズとして、アッパー２が織物や編物などの生地を積層（好ましくは互いに接着）して形成されたものを着用して紐締めを行うと、図５〜図１０に示すように変形する。図５は、アッパー２外側面の全体のひずみの分布、図６は、アッパー２内側面の全体のひずみの分布を示し、Ｓｔ３で表している領域が最もひずみが大きく、１５％前後の大きなひずみ量を表している。Ｓｔ２で表している領域は、８〜１０％程度のひずみの量を表し、Ｓｔ１は、４〜８％程度のひずみの量を表している。図７は、アッパー２外側面のＸ方向のひずみの分布、図８はアッパー２内側面のＸ方向のひずみの分布、図９は、アッパー２外側面のＹ方向のひずみの分布、図１０はアッパー２内側面のＹ方向のひずみの分布を示している。
【００３６】
シューズを着用して紐締めを行うと、図５〜図１０に示すように、ハトメ部５１を有する紐締め付け領域５０は、図中Ｙ方向へ変形する。それに伴い、踵部２４は、−Ｘ方向へ、前足部２２はＸ方向へ変形する。これはアッパー２の素材が正のポアソン比を有するからである。ここで、ポアソン比とは、横ひずみを縦ひずみで除した値の負値で表現され、材料固有のものである。
【００３７】
アッパー２で足を覆うように、ある平面で３次元構造体を覆うとすると、図１１に示すように、Ｘ方向にもＹ方向にもアッパー２を引っ張らなくてはならない。
【００３８】
このときの着圧値は、次のように計算される。
着圧値＝Ｒｘ・Ｆｘ＋Ｒｙ・Ｆｙ…（１）
ここで、Ｒは曲率、Ｆは外力である。
【００３９】
一方、負のポアソン比を有する素材であれば、Ｙ方向に引っ張れば、Ｘ方向にも延びるので、Ｘ方向には、引っ張る必要なく足を覆うことができる。
【００４０】
上記した負のポアソン比を有する素材であれば、Ｙ方向に引っ張れば、Ｘ方向には、引っ張ることなく足を覆うことができるので、式（１）で計算できる着圧値は、第１項がゼロになる。したがって、負のポアソン比を有する素材であれば、足を覆う際の着圧値の低減を実現でき、足当たりが改善する。
【００４１】
この発明は、上記の知見に基づきなされたものにして、紐締め力を伝達するための領域となる第２開口部４近傍に設けられた締め付け領域５０を除いたアッパー２の一部または全てを、負のポアソン比を有する素材を用いて形成したものである。かかる構造にすることで、紐締め力が伝達され、アッパーと足との密着を高めると共に、着圧値の低減を実現でき、フィット性が改善する。
【００４２】
負のポアソン比を有する素材７は、ハニカム型の特殊な構造や、泡構造というような複合的な人工構造など種々のものが提案されているが、例えば、図１２に示すように、負のポアソン比構造は、四辺のうち対向する１対の２辺の中央部が互いに近接した矩形枠７０が列状７５に複数段並び、各段の矩形枠７０は互いに反ピッチずれて配列されて網目状に形成されている。尚、矩形枠７０の近接した二辺をつなぐ方向と直交する方向を列方向とする（図１２中の矢印方向）。
【００４３】
アッパー２に用いる負のポアソン比を有する素材７は、図１２に示すように、負のポアソン比構造を有する材料の単一層や、複数の層を積層してなり、複数の層うち少なくとも一層が負のポアソン比構造に形成されているものを適宜用いればよい。この複数の層からなる積層材としては、例えば、図１３に示すように、人工皮革、ウレタン樹脂等の剛性を有する材料で負のポアソン比構造となる複数の矩形枠７０を網目状に配列した層を形成し、負のポアソン比構造に形成された層の一方または両面に、矩形枠７０を網目状に配列した層の材料より剛性が低く、メッシュ材などの材料または伸縮性の高い材料で構成された層７１、７２が積層されたものを用いることができる。
【００４４】
複数の層を積層した積層材からなる負のポアソン比を有する素材は、負のポアソン比構造に形成されている層に対して、積層される層が、負のポアソン比構造に形成されている層の形状変化を阻害しない材料で形成され、積層材全体として負のポアソン比を有するように構成したものである。
【００４５】
ところで、運動中の動作を模擬して、ソール１の前足部を地面につけたまま踵を上昇させると、甲部２１は足長方向に縮み足幅方向に伸びるために、皺が発生する。ここで、アッパー２の甲部２１に負のポアソン比を有する素材７を配置することで、足長方向に縮むと同時に足幅方向にも縮むので、皺が発生しない。したがって、負のポアソン比を有する素材であれば、皺の発生を抑制することができる。
【００４６】
更に、走行中に踵接地した際、図１４に破線で示すように、アッパー（右足）２の踵部（アンクルスポンジ）２３は、Ｘ方向に伸ばされ、Ｙ方向に圧縮する。
【００４７】
アッパー２の踵部（アンクルスポンジ）２３は、Ｙ方向に圧縮するとアッパー２の踵部２３と足との間隔が拡がり、踵部２３のフィット性の低下が懸念される。ここで、踵部２３に負のポアソン比を有する素材を配置することで、図１４に破線で示す変形時に、アッパー２の踵部２３は、Ｘ方向に伸ばされると同時にＹ方向にも伸ばされるので、踵部２３において足とアッパー２とが密着し、踵部２３のフィット性を損なわない。また、踵部（ヒールカウンター）２４にも、踵部（アンクルスポンジ）２３と同様に、負のポアソン比を有する素材を配置すれば、アッパー２の踵部のフィット性がより一層向上する。
【００４８】
更に、走行時において、踵が接地した際は、足の甲部は足幅方向および足長方向に縮む。足底面が全面接地した際は、足の甲部は足幅方向および足長方向に伸び、中足部の内側は足幅方向および足長方向に伸び、中足部の外側は足幅方向および足長方向に縮む。蹴り出しの際は、足の甲部は足幅方向および足長方向に縮み、さらに中足部の内側は足幅方向および足長方向に縮み、中足部の外側は足幅方向および足長方向に伸びる。ここで、アッパー２の甲部２１や中足部２５に負のポアソン比を有する素材を挿入すれば、アッパー２は足幅方向および足長方向の両方向に同時に伸び、または、足幅方向および足長方向の両方向に同時に縮む。すなわち、走行時の各フェーズにおいて、足の甲部や中足部とアッパー２の変形挙動が一致し、アッパー２が足本来の動きを阻害することがない。
【００４９】
次に、アッパー２の各領域に負のポアソン比を有する素材を適用する例につき、図１５〜図１８を参照して説明する。尚、これら図面において、負のポアソン比を有する素材を適用する領域には、ハッチングを施している。
【００５０】
図１５〜図１７に示すように、アッパー（右足）２の甲部２１には、負のポアソン比構造の列方向（図中矢印方向）がシューズの前後方向に配列するようにした負のポアソン比の素材７を用いるとよい。この箇所に設けることで、踵上昇時に、甲部２１における皺の発生を抑制することができる。また、走行時における踵接地、足底全面接地および蹴り出しの際、甲部２１において、足とアッパー２の変形挙動が一致する。
【００５１】
図１５及び図１６に示すように、アッパー２の前足部２２（母趾球部２２ｂ、小趾球部２２ａ）に、負のポアソン比構造の列方向（図中矢印方向）がシューズの上下方向に配列するようにした負のポアソン比の素材７を用いるとよい。母趾球部２２ｂおよび小趾球部２２ａは着圧値が大きく、足当たりに大きく影響する部位である。この箇所に負のポアソン比の素材７を設けることで、着圧値の低減が図れ、足当たりが改善する。尚、バスケットボールやサッカー等の競技において頻出する、横方向への動作時には、小趾球部２２ａは、サポート性が要求される。このため、バスケットボールやサッカー等に使用されるシューズでは、小趾球部２２ａには、負のポアソン比の材料を用いるとパフォーマンスの低下が懸念されるので、使用する用途により、適宜選択すればよい。
【００５２】
図１５〜図１７に示すように、アッパー２の踵部（アンクルスポンジ）２３には、負のポアソン比構造の列方向（図中矢印方向）がシューズの前後方向に配列するようにした負のポアソン比の素材７を用いるとよい。このとき、シート状の負のポアソン比材料を丸めて３次元形状にした材料を用いるとよい。この箇所に設けることで、走行時の踵接地の際、踵部２３において、足とアッパー２とが密着する。
【００５３】
図１５及び図１６に示すように、アッパーの踵部（ヒールカウンター）２４には、負のポアソン比構造の列方向（図中矢印方向）がシューズの上下方向に配列するようにした負のポアソン比の素材７を用いるとよい。この箇所に設けることで、走行時の踵接地の際、踵部２４において、足とアッパー２とが密着する。
【００５４】
図１７に示すように、アッパー２の舌片５には、負のポアソン比構造の列方向（図中矢印方向）がシューズの前後方向に配列するようにした負のポアソン比の素材７を用いるとよい。このとき、シート状の負のポアソン比材料を丸めて３次元形状にした材料を用いるとよい。この箇所に設けることで、舌片５において、足とアッパー２とが密着し、フィット性が良好となる。
【００５５】
図１５及び図１６に示すように、アッパー２の中足部２５には、負のポアソン比構造の列方向（図中矢印方向）がシューズの前後方向に配列するようにした負のポアソン比素材を用いるとよい。この箇所に設けることで、走行時における足底全面接地や蹴り出しの際、中足部２５において、足とアッパー２の変形挙動が一致する。
【００５６】
図１８に、ハイカットシューズに負のポアソン比を有する素材を適用する例を示している。足首部２３ｈ以外には、上記のものと同様の箇所および方向に負のポアソン比素材を用いるとよい。ハイカットシューズの足首部２３ｈに、負のポアソン比構造の列方向（図中矢印方向）がシューズの上下方向に配列するようにした負のポアソン比素材を用いるとよい。この箇所に設けることで、足の底背屈時に、足首部２３ｈにおいて足とアッパー２の変形挙動が一致し、アッパー２が引きつれにくい。
【００５７】
アッパー２以外に、シューレース６をシート状の負のポアソン比材料を丸めて３次元形状にした材料を用いるとよい。ここに用いることで、紐が緩みにくくなる。
【００５８】
上記した実施形態においては、締め付け領域５０のハトメ部５１及びループ部５２にシューレース６を通して、紐締め付けを行うように構成している。この発明は、かかる構成以外に、締め付け領域に５０にバックル等を設け、このバックル等にベルトを通して締め付けを行うシューズ等、他の緊締構造を持つシューズにも適用することができる。
【００５９】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００６０】
１      ソール
２      アッパー
３      第１開口部
４      第２開口部
５      舌片
６      シューレース
７      素材
２１    甲部
２２    前足部
２３    踵部（アンクルスポンジ）
２４    踵部（ヒールカウンター）
２５    中足部
５０    紐締め付け領域
５１    ハトメ部
５２    ループ部
５３    ループ
７０    矩形枠
【図１】
2015019451.tif 000003
【図２】
2015019451.tif 000004
【図３】
2015019451.tif 000005
【図４】
2015019451.tif 000006
【図５】
2015019451.tif 000007
【図６】
2015019451.tif 000008
【図７】
2015019451.tif 000009
【図８】
2015019451.tif 000010
【図９】
2015019451.tif 000011
【図１０】
2015019451.tif 000012
【図１１】
2015019451.tif 000013
【図１２】
2015019451.tif 000014
【図１３】
2015019451.tif 000015
【図１４】
2015019451.tif 000016
【図１５】
2015019451.tif 000017
【図１６】
2015019451.tif 000018
【図１７】
2015019451.tif 000019
【図１８】
2015019451.tif 000020
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
着地の衝撃を吸収するソールと、足の甲を包むアッパーとを有するシューズであって、  前記アッパーは、着用時に足が挿入される第１開口部を有し、前記アッパーの一部または全てが、負のポアソン比を有する素材を用いて形成されていることを特徴とするシューズ。
【請求項２】
前記アッパーは、舌片で閉じられた足の甲の上方の第２開口部をさらに有し、第１開口部と第２開口部とは前後に互いに連なっており、前記第２開口部近傍に設けられた締め付け領域を除いたアッパーの一部または全てが、負のポアソン比を有する素材を用いて形成されていることを特徴とする請求項１に記載のシューズ。
【請求項３】
前記負のポアソン比を有する素材は、負のポアソン比構造が形成された単一の層からなることを特徴とする請求項１または請求項２に記載のシューズ。
【請求項４】
前記負のポアソン比を有する素材は、複数の層を積層してなり、前記複数の層のうち少なくとも一層が負のポアソン比構造に形成されていることを特徴とする請求項１または請求項２に記載のシューズ。
【請求項５】
前記アッパーの甲部は、負のポアソン比素材を用いたことを特徴とする請求項１〜４のいずれか１項に記載のシューズ。
【請求項６】
前記アッパーの母趾球部は、負のポアソン比素材を用いたことを特徴とする請求項１〜４のいずれか１項に記載のシューズ。
【請求項７】
前記アッパーの小趾球部は、負のポアソン比素材を用いたことを特徴とする請求項１〜４のいずれか１項に記載のシューズ。
【請求項８】
前記アッパーの踵部は、負のポアソン比素材を用いたことを特徴とする請求項１〜４のいずれか１項に記載のシューズ。
【請求項９】
前記アッパーの舌片は、負のポアソン比素材を用いたことを特徴とする請求項１〜４のいずれか１項に記載のシューズ。
【請求項１０】
前記アッパーの中足部は、負のポアソン比素材を用いたことを特徴とする請求項１〜４のいずれか１項に記載のシューズ。
【請求項１１】
前記負のポアソン比構造は、四辺のうち対向する１対の２辺の中央部が互いに近接した矩形枠が列状に複数段並び各段の矩形枠は互いに反ピッチずれて配列されて網目状に形成されていることを特徴とする請求項３または請求項４に記載のシューズ。
【請求項１２】
前記アッパーの甲部は、負のポアソン比構造の列方向がシューズの前後方向に配列するようにした負のポアソン比素材を用いたことを特徴とする請求項１１に記載のシューズ。
【請求項１３】
前記アッパーの母趾球部は、負のポアソン比構造の列方向がシューズの上下方向に配列するようにした負のポアソン比素材を用いたことを特徴とする請求項１１に記載のシューズ。
【請求項１４】
前記アッパーの小趾球部は、負のポアソン比構造の列方向がシューズの上下方向に配列するようにした負のポアソン比素材を用いたことを特徴とする請求項１１に記載のシューズ。
【請求項１５】
前記アッパーの踵部は、負のポアソン比構造の列方向がシューズの上下または前後方向に配列するようにした負のポアソン比素材を用いたことを特徴とする請求項１１に記載のシューズ。
【請求項１６】
前記アッパーの舌片は、負のポアソン比構造の列方向がシューズの前後方向に配列するようにした負のポアソン比素材を用いたことを特徴とする請求項１１に記載のシューズ。
【請求項１７】
前記アッパーの中足部は、負のポアソン比構造の列方向がシューズの前後方向に配列するようにした負のポアソン比素材を用いたことを特徴とする請求項１１に記載のシューズ。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
着地の衝撃を吸収するソールと、足の甲を包むアッパーとを有するシューズであって、
前記アッパーは、着用時に足が挿入される第１開口部を有し、前記アッパーの母趾球部は、負のポアソン比素材を用いて形成されていることを特徴とするシューズ。
【請求項２】
前記アッパーの小趾球部は、負のポアソン比素材を用いて形成されてることを特徴とする請求項１に記載のシューズ。
【請求項３】
前記負のポアソン比を有する素材は、負のポアソン比構造が形成された単一の層からなることを特徴とする請求項１または請求項２に記載のシューズ。
【請求項４】
前記負のポアソン比を有する素材は、複数の層を積層してなり、前記複数の層のうち少なくとも一層が負のポアソン比構造に形成されていることを特徴とする請求項１または請求項２に記載のシューズ。
【請求項５】
着地の衝撃を吸収するソールと、足の甲を包むアッパーとを有するシューズであって、
前記アッパーは、着用時に足が挿入される第１開口部を有し、前記アッパーの甲部は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの前後方向に配列するようにしたことを特徴とするシューズ。
【請求項６】
着地の衝撃を吸収するソールと、足の甲を包むアッパーとを有するシューズであって、
前記アッパーは、着用時に足が挿入される第１開口部を有し、前記アッパーの母趾球部は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの上下方向に配列するようにしたことを特徴とするシューズ。
【請求項７】
着地の衝撃を吸収するソールと、足の甲を包むアッパーとを有するシューズであって、
前記アッパーは、着用時に足が挿入される第１開口部を有し、前記アッパーの小趾球部は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの上下方向に配列するようにしたことを特徴とするシューズ。
【請求項８】
着地の衝撃を吸収するソールと、足の甲を包むアッパーとを有するシューズであって、
前記アッパーは、着用時に足が挿入される第１開口部を有し、前記アッパーの踵部は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの上下または前後方向に配列するようにしたことを特徴とするシューズ。
【請求項９】
着地の衝撃を吸収するソールと、足の甲を包むアッパーとを有するシューズであって、
前記アッパーは、着用時に足が挿入される第１開口部を有し、前記アッパーの中足部は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの前後方向に配列するようにしたことを特徴とするシューズ。
【請求項１０】
着地の衝撃を吸収するソールと、足の甲を包むアッパーとを有するシューズであって、
前記アッパーは、着用時に足が挿入される第１開口部と、舌片で閉じられた足の甲の上方の第２開口部を有し、前記第１開口部と第２開口部とは前後に互いに連なっており、前記舌片は、負のポアソン比を有する素材が用いられ、前記負のポアソン比を有する素材の負のポアソン比構造は、四辺のうち対向する１対の２辺の中央部が互いに近接した矩形枠が列状に複数段並び格段の矩形枠は互いに半ピッチずれて配列されて網目状に形成され、前記負のポアソン比構造の列方向がシューズの前後方向に配列するようにしたことを特徴とするシューズ。
【請求項１１】
前記負のポアソン比を有する素材は、負のポアソン比構造が形成された単一の層からなることを特徴とする請求項５から請求項１０のいずれか１項に記載のシューズ。
【請求項１２】
前記負のポアソン比を有する素材は、複数の層を積層してなり、前記複数の層のうち少なくとも一層が負のポアソン比構造に形成されていることを特徴とする請求項５から請求項１０のいずれか１項に記載のシューズ。
【国際調査報告】
2015019451.tif 000021
2015019451.tif 000022
2015019451.tif 000023